(57)【要約】【課題】従来の技術はコピー保護の技術として不充分なものであり、デジタルオーディオ信号に悪影響を及ぼし、悪影響が生じないようにするとコピー保護の効果も減じて、充分なコピー保護を実現することができなかった。【解決手段】本発明によるオーディオコンテンツのコンパクトディスクの構成では、記録情報の始端部にリードイン１が設けられ、このリードイン１に続いてデジタルオーディオのトラック２が設けられる。さらにデジタルオーディオのトラック２の後にリードアウト３が設けられると共に、このリードアウト３の後に本発明による特殊パターン４が設けられる。これによって、良好なコピー保護を実現することができる。【選択図】        図１
2004318935.tif 000002
【特許請求の範囲】
【請求項１】
主記録情報としてデジタルオーディオ信号のみが記録されたコンパクトディスクであって、
前記オーディオ信号の記録される第１セッションのリードインに設けられるテーブルオブコンテンツに第２セッションの存在を示す情報が設けられると共に、
前記第２セッションのリードインに特定の情報の削除されたテーブルオブコンテンツが設けられる
ことを特徴とするコンパクトディスク。
【請求項２】
請求項１記載のコンパクトディスクにおいて、
前記削除される情報は、前記第２セッションの始まりのトラック、終わりのトラック及び終わりのアドレスの情報であり、
それ以降の前記テーブルオブコンテンツを構成する情報は繰り返し設けられる
ことを特徴とするコンパクトディスク。
【請求項３】
請求項２記載のコンパクトディスクにおいて、
前記削除される情報は、２回目以降の繰り返しについて削除される
ことを特徴とするコンパクトディスク。
【請求項４】
請求項２記載のコンパクトディスクにおいて、
前記削除される情報は、全ての繰り返しについて削除される
ことを特徴とするコンパクトディスク。
【請求項５】
請求項２記載のコンパクトディスクにおいて、
前記繰り返し設けられる情報は、少なくとも２トラック分についてのダミーの情報である
ことを特徴とするコンパクトディスク。
【請求項６】
主記録情報としてデジタルオーディオ信号のみが記録されるコンパクトディスクのコピー保護方法であって、
前記オーディオ信号の記録される第１セッションのリードインに設けられるテーブルオブコンテンツに第２セッションの存在を示す情報を設けると共に、
前記第２セッションのリードインに特定の情報を削除したテーブルオブコンテンツを設ける
ことを特徴とするコンパクトディスクのコピー保護方法。
【請求項７】
請求項６記載のコンパクトディスクのコピー保護方法において、
前記第２セッションのリードインのテーブルオブコンテンツから前記第２セッションの始まりのトラック、終わりのトラック及び終わりのアドレスの情報を削除し、
それ以降の前記テーブルオブコンテンツを構成する情報を繰り返し設ける
ことを特徴とするコンパクトディスクのコピー保護方法。
【請求項８】
請求項７記載のコンパクトディスクのコピー保護方法において、
前記削除する情報は、２回目以降の繰り返しについて削除する
ことを特徴とするコンパクトディスクのコピー保護方法。
【請求項９】
請求項７記載のコンパクトディスクのコピー保護方法において、
前記削除する情報は、全ての繰り返しについて削除する
ことを特徴とするコンパクトディスクのコピー保護方法。
【請求項１０】
請求項７記載のコンパクトディスクのコピー保護方法において、
前記繰り返し設ける情報は、少なくとも２トラック分についてのダミーの情報である
ことを特徴とするコンパクトディスクのコピー保護方法。
【発明の詳細な説明】
【０００１】
【発明の属する技術分野】
本発明は、例えば著作権を有するオーディオコンテンツの頒布に使用して好適なコンパクトディスク及びそのコピー保護方法に関する。詳しくは、デジタルオーディオ信号専用の再生装置では支障なく再生が行われるものの、デジタルオーディオ信号以外の信号にも対応する再生装置では正常な再生が不能となるようにしたものである。
【０００２】
【従来の技術】
コンパクトディスクを用いてオーディオコンテンツの頒布を行う場合に、デジタル化された情報は、劣化を生じることなく複製を作られる危険性がある。そこで従来から、コンパクトディスクを用いるオーディオコンテンツの頒布に関して、各種のコピー保護の手段が提案されている（例えば、特許文献１参照。）。
【０００３】
すなわち、この特許文献１に示された技術では、第２セッションのテーブルオブコンテンツに誤った情報を入れることにより、パーソナルコンピュータ等の第２セッションの再生される再生装置では、再生時に問題が生じるようにしているものである。しかしながら上述の技術では、再生装置の機種により上述の技術の効果の影響を受けないものが高確率で存在し、充分なコピー保護を行えないのが現状である。
【０００４】
【特許文献１】
特表２００３−５００７８９号公報
【０００５】
【発明が解決しようとする課題】
上述の通り、従来の特許文献１に示された技術で、第２セッションのテーブルオブコンテンツのみを用いた手段では、コピー保護の技術として不充分なものである。
【０００６】
そこで従来技術では、他のコピー保護の手段を併用することが行われるが、他の手段として、一般的にオーディオコンテンツの情報そのものに改変を加える方法では、デジタルオーディオ信号に悪影響を及ぼし、音質の劣化や再生互換性が損なわれるなどの問題を生じてしまう。これに対して、悪影響が生じないようにしようとすると、コピー保護の効果も減じてしまうことになる。
【０００７】
この出願はこのような点に鑑みて成されたものであって、解決しようとする問題点は、従来の技術はコピー保護の技術として不充分なものであり、他のコピー保護の手段を併用するとデジタルオーディオ信号に悪影響を及ぼし、悪影響が生じないようにするとコピー保護の効果も減じて、充分なコピー保護を実現することができなかったというものである。
【０００８】
【課題を解決するための手段】
このため本発明においては、第２セッションを設けると共に、その第２セッションのリードインに特定の情報の削除されたテーブルオブコンテンツを設けるようにしたものであって、これによれば、デジタルオーディオ信号に悪影響を及ぼすことなく、充分なコピー保護を実現することができる。
【０００９】
【発明の実施の形態】
すなわち本発明は、主記録情報としてデジタルオーディオ信号のみが記録されたコンパクトディスクであって、オーディオ信号の記録される第１セッションのリードインに設けられるテーブルオブコンテンツに第２セッションの存在を示す情報が設けられると共に、第２セッションのリードインに特定の情報の削除されたテーブルオブコンテンツが設けられてなるものである。
【００１０】
また、本発明は、主記録情報としてデジタルオーディオ信号のみが記録されるコンパクトディスクのコピー保護方法であって、オーディオ信号の記録される第１セッションのリードインに設けられるテーブルオブコンテンツに第２セッションの存在を示す情報を設けると共に、第２セッションのリードインに特定の情報を削除したテーブルオブコンテンツを設けてなるものである。
【００１１】
以下、図面を参照して本発明を説明するに、図１は本発明によるコンパクトディスク及びそのコピー保護方法を適用したコンパクトディスクの一実施形態を説明するための構成図である。
【００１２】
図１において、Ａは、通常のオーディオコンテンツのコンパクトディスクの構成を示す。この図１のＡでは、コンパクトディスクの記録情報の始端部にリードイン１が設けられ、このリードイン１に続いてデジタルオーディオのトラック２が設けられる。さらにデジタルオーディオのトラック２の後にリードアウト３が設けられる。
【００１３】
ここでリードイン１には、データ列中のサブコードＱを用いて、いわゆるテーブルオブコンテンツ（図示せず）が設けられているものである。そしてこの場合に、通常のオーディオコンテンツのコンパクトディスクのリードイン１に設けられるテーブルオブコンテンツの構成は、例えば図２に示すようになっている。
【００１４】
すなわち図２において、１列目のＣｎＡｄは全て“０１”とされる。２列目のＰｉｎｔは１〜３行目“Ａ０”、４〜６行目“Ａ１”、７〜９行目“Ａ２”、１０〜１２行目“０１”、１３〜１５行目“０２”とされ、以下この値が繰り返し設けられる。なお、１０〜１２行目“０１”と１３〜１５行目“０２”は、オーディオコンテンツの曲目をあらわすものであり、曲目数が多い場合にはこの部分の値が最大“９９”まで設けられるものである。
【００１５】
さらに、３列目のＭｉｎｕが分、４列目のＳｅｃｏが秒、５列目のＦｒａｍがフレームを表し、１つの時間情報をなしている。その時間情報は、１フレーム毎に増加するように連続して記載されている。６列目のＺｅｒｏには全て“００”が記載される。そして７〜９列目に、それぞれコンテンツの設けられるアドレスが、ＰＭｉｎ（分）、ＰＳｅｃ（秒）、ＰＦｒａｍ（フレーム）の各値で記載される。
【００１６】
ここで、Ｐｉｎｔが“Ａ０”の行には、対応するセッションの始まりのトラックのアドレスが記載され、Ｐｉｎｔが“Ａ１”の行には、対応するセッションの終わりのトラックのアドレスが記載され、Ｐｉｎｔが“Ａ２”の行には、対応するセッションのリードアウトの始端のアドレスが記載される。さらに、Ｐｉｎｔが“０１”の行には、１曲目の始まりのトラックのアドレスが記載され、Ｐｉｎｔが“０２”の行には、２曲目の始まりのトラックのアドレスが記載される。
【００１７】
そして、一般的なデジタルオーディオ信号専用の再生装置においては、コンパクトディスクが装着された最初にこれらのテーブルオブコンテンツの内容が再生され、以後はこの再生された内容に基づいて種々の再生動作が行われるものである。
【００１８】
これに対して、図１において、Ｂは、本発明によるオーディオコンテンツのコンパクトディスクの構成を示す。この図１のＢでは、コンパクトディスクの記録情報の始端部にリードイン１が設けられ、このリードイン１に続いてデジタルオーディオのトラック２が設けられる。さらにデジタルオーディオのトラック２の後にリードアウト３が設けられると共に、このリードアウト３の後に本発明による特殊パターン４が設けられる。
【００１９】
そしてこの場合のリードイン１には、例えば図３に示すようなテーブルオブコンテンツが設けられる。なお、図３の説明において、上述の図２と共通する部分の説明は省略する。すなわち図３において、１列目のＣｎＡｄが“０１”の後にそれぞれ３行分が追加される。そしてこれらの追加された各行の１列目のＣｎＡｄは“０５”とされる。
【００２０】
また、２列目のＰｉｎｔは１〜３行目“Ａ０”、４〜６行目“Ｂ０”、７〜９行目“Ａ１”、１０〜１２行目“Ｃ０”、１３〜１５行目“Ａ２”、１９〜２１行目“０１”、２２〜２４行目“０２”とされ、以下この値が繰り返し設けられる。
【００２１】
さらに、３列目のＭｉｎｕが分、４列目のＳｅｃｏが秒、５列目のＦｒａｍがフレームを表し、１つの時間情報をなしている。その時間情報は、１フレーム毎に増加するように連続して記載されている。６列目のＺｅｒｏには全て“００”が記載される。
【００２２】
そして７〜９列目に、それぞれコンテンツの設けられるアドレスが、ＰＭｉｎ（分）、ＰＳｅｃ（秒）、ＰＦｒａｍ（フレーム）の各値で記載される。ここで、Ｐｉｎｔが“Ｂ０”の行には、上述した本発明による特殊パターンの始まりのトラックのアドレスが記載される。なお、Ｐｉｎｔが“Ｃ０”の行は、本発明においては無効であり、マルチセッションＣＤ規格に従って固定値が記載されている。
【００２３】
すなわち、この図３に示されるテーブルオブコンテンツは、いわゆるマルチセッションのコンパクトディスクに用いられるテーブルオブコンテンツに相当するものである。そして、その第２セッションのアドレスを示すＣｎＡｄが“０５”で、Ｐｉｎｔが“Ｂ０”の行に、上述した本発明による特殊パターンを含む架空のセッションの架空のトラックの開始アドレスが記載されるものである。
【００２４】
そしてさらに、本発明による特殊パターン４が、例えば図４に示すように形成される。すなわち図４において、この特殊パターン４は図２に示した通常のオーディオコンテンツのコンパクトディスクのリードインに設けられるテーブルオブコンテンツの構成に近似したものであるが、Ｐｉｎｔが“Ａ０”〜“Ａ２”の行が１回のみ設けられ、２回目以降の繰り返しが削除されたものである。ただし、Ｐｉｎｔが“０１”〜“０２”の行は繰り返し設けられる。
【００２５】
そこで、このような特殊パターン４の設けられたコンパクトディスクが、一般的なデジタルオーディオ信号専用の再生装置に装着された場合には、図５のＡに示すように、最初にリードイン１が矢印▲１▼のように再生される。この再生で一般的なデジタルオーディオ信号専用の再生装置の場合には、図３のテーブルオブコンテンツ中のＣｎＡｄが“０５”の行は無視され、ＣｎＡｄが“０１”の行の情報にのみ従って再生動作が行われる。
【００２６】
従って、このような特殊パターン４の設けられたコンパクトディスクが、一般的なデジタルオーディオ信号専用の再生装置に装着された場合には、上述のリードイン１が矢印▲１▼のように再生されるのに続いて、図５のＢに示すように、デジタルオーディオのトラック２が矢印▲２▼のように再生され、通常のオーディオコンテンツのコンパクトディスクと同様に再生動作が行われる。
【００２７】
これに対して、上述の特殊パターン４の設けられたコンパクトディスクが、パーソナルコンピュータ等の第２セッションの再生される再生装置に装着された場合には、図６のＡに示すように、最初にリードイン１が矢印▲１▼のように再生される。そして第２セッションの再生される再生装置の場合には、この再生で図３のテーブルオブコンテンツ中のＣｎＡｄが“０５”の行が有効となり、Ｐｉｎｔが“Ｂ０”の行に記載された架空セッション内のトラック開始アドレスから特殊パターン４の始まりのアドレスが検出される。
【００２８】
従って、このような特殊パターン４の設けられたコンパクトディスクが、第２セッションの再生される再生装置に装着された場合には、上述のリードイン１が矢印▲１▼のように再生されるのに続いて、図６のＢに示すように、特殊パターン４が矢印▲２▼のように再生される。そしてこの場合に、再生される特殊パターン４には、Ｐｉｎｔが“Ａ０”〜“Ａ２”の行が１回しか設けられていないので、動作が不安定になり、再生が不能になってしまう。
【００２９】
すなわち、上述した本発明によれば、いわゆる音楽用のコンパクトディスクにおいてディスク構造をマルチセッションにする。そしてこのときの第２セッションのリードインに設けられるテーブルオブコンテンツを、例えば図４に示すような様式に置き換える。この構造の信号をディスク原盤に記録し、以後通常のコンパクトディスクの製造法を用いてディスクの製造を行う。
【００３０】
これにより、本発明の実施されたコンパクトディスクを、パーソナルコンピュータ等でＣＤ−ＲやＣＤ−ＲＷへのコピーを行う場合に、ディスクをＣＤドライブにマウントすることができない。従ってパーソナルコンピュータでは、本発明の実施されたディスクをコピーだけでなく再生することもできなくなる。
【００３１】
さらに本発明は、コンパクトディスクをそのままコピーしようとするコピー装置にも有効である。また、本発明は従来のコピー防止技術と組み合わせて使用することも可能である。
【００３２】
一方、音楽用ＣＤプレイヤーのみ、本発明の影響を受けることなく、本発明の実施されたコンパクトディスクを再生可能である。そして本発明は、記録する音楽データに影響を与えることがなく、従って音質劣化等の懸念を回避することができるものである。
【００３３】
従って上述の実施形態において、オーディオコンテンツのコンパクトディスクに第２セッションを設けると共に、その第２セッションのリードインに特定の情報の削除されたテーブルオブコンテンツを設けるようにしたことにより、デジタルオーディオ信号に悪影響を及ぼすことなく、充分なコピー保護を実現することができるものである。
【００３４】
これによって、従来の技術はコピー保護の技術として不充分なものであり、他のコピー保護の手段を併用するとデジタルオーディオ信号に悪影響を及ぼし、悪影響が生じないようにするとコピー保護の効果も減じて、充分なコピー保護を実現することができなかったものを、本発明によればこれらの問題点を容易に解消することができる。
【００３５】
なお、上述の実施形態においては、第２セッションのリードインに設けられるテーブルオブコンテンツとして、図５に示したようにＰｉｎｔが“Ａ０”〜“Ａ２”の行を１回のみ設けたものとしたが、これは図７に示すように、Ｐｉｎｔが“Ａ０”〜“Ａ２”の行を全て削除したものでも、同様の効果の得られることが実験により確かめられた。
【００３６】
こうして上述のコンパクトディスクによれば、主記録情報としてデジタルオーディオ信号のみが記録されたものであって、オーディオ信号の記録される第１セッションのリードインに設けられるテーブルオブコンテンツに第２セッションの存在を示す情報が設けられると共に、第２セッションのリードインに特定の情報の削除されたテーブルオブコンテンツが設けられることにより、デジタルオーディオ信号に悪影響を及ぼすことなく、充分なコピー保護を実現することができるものである。
【００３７】
また、上述のコンパクトディスクのコピー保護方法によれば、主記録情報としてデジタルオーディオ信号のみが記録されるものであって、オーディオ信号の記録される第１セッションのリードインに設けられるテーブルオブコンテンツに第２セッションの存在を示す情報を設けると共に、第２セッションのリードインに特定の情報を削除したテーブルオブコンテンツを設けることにより、デジタルオーディオ信号に悪影響を及ぼすことなく、充分なコピー保護を実現することができるものである。
【００３８】
なお本発明は、上述の説明した実施の形態に限定されるものではなく、本発明の精神を逸脱することなく種々の変形が可能とされるものである。
【００３９】
【発明の効果】
従って請求項１の発明によれば、オーディオコンテンツのコンパクトディスクに第２セッションを設けると共に、その第２セッションのリードインに特定の情報の削除されたテーブルオブコンテンツを設けるようにしたことにより、デジタルオーディオ信号に悪影響を及ぼすことがなく、他のコピー防止技術との併用も可能であって、充分なコピー保護を実現することができるものである。
【００４０】
また、請求項２の発明によれば、削除される情報は、前記第２セッションの始まりのトラック、終わりのトラック及び終わりのアドレスの情報であり、それ以降のテーブルオブコンテンツを構成する情報は繰り返し設けられることによって、パーソナルコンピュータ等でディスクをＣＤドライブにマウントすることができなくなり、特にパーソナルコンピュータでの読み出し防止に高い効果が得られ、良好なコピー保護を実現することができるものである。
【００４１】
また、請求項３の発明によれば、削除される情報は、２回目以降の繰り返しについて削除されることによって、良好なコピー保護を実現することができるものである。
【００４２】
また、請求項４の発明によれば、削除される情報は、全ての繰り返しについて削除されることによっても、良好なコピー保護を実現することができるものである。
【００４３】
また、請求項５の発明によれば、繰り返し設けられる情報は、少なくとも２トラック分についてのダミーの情報であることによって、良好なコピー保護を実現することができるものである。
【００４４】
さらに請求項６の発明によれば、オーディオコンテンツのコンパクトディスクに第２セッションを設けると共に、その第２セッションのリードインに特定の情報の削除されたテーブルオブコンテンツを設けるようにしたことにより、デジタルオーディオ信号に悪影響を及ぼすことがなく、他のコピー防止技術との併用も可能であって、充分なコピー保護を実現することができるものである。
【００４５】
また、請求項７の発明によれば、第２セッションのリードインのテーブルオブコンテンツから前記第２セッションの始まりのトラック、終わりのトラック及び終わりのアドレスの情報を削除し、それ以降のテーブルオブコンテンツを構成する情報を繰り返し設けることによって、パーソナルコンピュータ等でディスクをＣＤドライブにマウントすることができなくなり、特にパーソナルコンピュータでの読み出し防止に高い効果が得られ、良好なコピー保護を実現することができるものである。
【００４６】
また、請求項８の発明によれば、削除する情報は、２回目以降の繰り返しについて削除することによって、良好なコピー保護を実現することができるものである。
【００４７】
また、請求項９の発明によれば、削除する情報は、全ての繰り返しについて削除することによっても、良好なコピー保護を実現することができるものである。
【００４８】
また、請求項１０の発明によれば、繰り返し設ける情報は、少なくとも２トラック分についてのダミーの情報であることによって、良好なコピー保護を実現することができるものである。
【００４９】
これによって、従来の技術はコピー保護の技術として不充分なものであり、他のコピー保護の手段を併用するとデジタルオーディオ信号に悪影響を及ぼし、悪影響が生じないようにするとコピー保護の効果も減じて、充分なコピー保護を実現することができなかったものを、本発明によればこれらの問題点を容易に解消することができるものである。
【図面の簡単な説明】
【図１】本発明によるコンパクトディスク及びそのコピー保護方法を適用したコンパクトディスクの一実施形態を説明するための構成図である。
【図２】通常のオーディオコンテンツのコンパクトディスクのリードインに設けられるテーブルオブコンテンツの構成図である。
【図３】本発明のコンパクトディスクのリードインに設けられるテーブルオブコンテンツの構成図である。
【図４】本発明のコンパクトディスクに設けられる特殊パターンの一実施形態の構成図である。
【図５】本発明の再生動作の説明のための図である。
【図６】本発明の再生動作の説明のための図である。
【図７】本発明のコンパクトディスクに設けられる特殊パターンの他の実施形態の構成図である。
【符号の説明】
１…リードイン、２…デジタルオーディオのトラック、３…リードアウト、４…特殊パターン
【図１】
2004318935.tif 000003
【図２】
2004318935.tif 000004
【図３】
2004318935.tif 000005
【図４】
2004318935.tif 000006
【図５】
2004318935.tif 000007
【図６】
2004318935.tif 000008
【図７】
2004318935.tif 000009